【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
画像データを送信する画像送信装置であって、
外部装置から宛先情報を受信する受信手段と、
前記受信手段が受信した前記宛先情報を設定する設定手段と、
前記設定手段が設定した前記宛先情報が示す宛先に画像データを送信する送信手段とを有し、
第１の外部装置から受信された第１の宛先情報が既に設定されている状態で前記受信手段が前記第１の外部装置から第２の宛先情報を受信した場合、前記画像送信装置は前記第１の宛先情報と前記第２の宛先情報が設定されている状態になり、
前記第１の外部装置から受信された前記第１の宛先情報が既に設定されている状態で前記受信手段が前記第２の外部装置から第３の宛先情報を受信した場合、前記画像送信装置は前記第１の宛先情報と前記第３の宛先情報の両方が設定されている状態にならないことを特徴とする画像送信装置。
【請求項２】
前記第１の外部装置から受信された前記第１の宛先情報が既に設定されている状態で前記受信手段が前記第２の外部装置から前記第３の宛先情報を受信した場合、前記画像送信装置が前記第３の宛先情報は設定され、前記第１の宛先情報は設定されていない状態になることを特徴とする請求項１に記載の画像送信装置。
【請求項３】
確認画面を表示する表示手段をさらに有し、
前記第１の外部装置から受信された第１の宛先情報が既に設定されている状態で前記受信手段が前記第１の外部装置から第２の宛先情報を受信した場合、前記表示手段は第１の確認画面を表示し、
前記第１の外部装置から受信された第１の宛先情報が既に設定されている状態で前記受信手段が前記第２の外部装置から第３の宛先情報を受信した場合、前記表示手段は第２の確認画面を表示することを特徴とする請求項１または２に記載の画像送信装置。
【請求項４】
前記第１の確認画面は前記画像送信装置を前記第１の宛先情報が設定された状態にするか否かを問い合わせるための画面であることを特徴とする請求項３に記載の画像送信装置。
【請求項５】
前記第２の確認画面は前記画像送信装置を前記第２の宛先情報が設定された状態にするか否かを問い合わせるための画面であることを特徴とする請求項３または４に記載の画像送信装置。
【請求項６】
前記第１の確認画面が表示された状態で、ユーザの指示を受け付けたことに従って、前記画像送信装置は前記第１の宛先情報と前記第２の宛先情報の両方が設定された状態になることを特徴とする請求項３乃至５の何れか１項に記載の画像送信装置。
【請求項７】
原稿の画像を読み取り、前記画像に基づく画像データを生成する読取手段をさらに有し、
前記送信手段は前記設定手段により設定された宛先情報が示す宛先に前記読取手段により生成された前記画像データを送信することを特徴とする請求項１乃至６の何れか１項に記載の画像送信装置。
【請求項８】
画像データを送信する画像送信装置であって、
外部装置から宛先情報を受信する受信手段と、
前記受信手段が受信した前記宛先情報を設定する設定手段と、
前記設定手段が設定した前記宛先情報が示す宛先に画像データを送信する送信手段とを有し、
前記設定手段により第１の宛先情報が既に設定されている状態で前記受信手段が第２の宛先情報を受信した場合、前記画像送信装置は、前記第１の宛先情報が設定されず、前記第２の宛先情報が設定されている状態になることを特徴とする画像送信装置。
【請求項９】
第１の外部装置から受信された第１の宛先情報が既に設定されている状態で前記受信手段が前記第１の外部装置から第２の宛先情報を受信した場合、前記画像送信装置は、前記第１の宛先情報と前記第２の宛先情報が設定されている状態になり、
第１の外部装置から受信された前記第１の宛先情報が既に設定されている状態で前記受信手段が第２の外部装置から第３の宛先情報を受信した場合、前記画像送信装置は、前記第１の宛先情報が設定されず、前記第２の宛先情報が設定されている状態になることを特徴とする請求項８に記載の画像送信装置。
【請求項１０】
確認画面を表示する表示手段をさらに有し、
前記第１の外部装置から受信された第１の宛先情報が既に設定されている状態で前記受信手段が前記第１の外部装置から第２の宛先情報を受信した場合、前記表示手段は第１の確認画面を表示し、
前記第１の外部装置から受信された第１の宛先情報が既に設定されている状態で前記受信手段が前記第２の外部装置から第３の宛先情報を受信した場合、前記表示手段は第２の確認画面を表示することを特徴とする請求項９に記載の画像送信装置。
【請求項１１】
前記第１の確認画面は前記画像送信装置を前記第１の宛先情報が設定された状態にするか否かを問い合わせるための画面であることを特徴とする請求項１０に記載の画像送信装置。
【請求項１２】
前記第２の確認画面は前記画像送信装置を前記第２の宛先情報が設定された状態にするか否かを問い合わせるための画面であることを特徴とする請求項１０または１１に記載の画像送信装置。
【請求項１３】
前記第１の確認画面が表示された状態で、ユーザの指示を受け付けたことに従って、前記画像送信装置は前記第１の宛先情報と前記第２の宛先情報の両方が設定された状態になることを特徴とする請求項１０乃至１２の何れか１項に記載の画像送信装置。
【請求項１４】
原稿の画像を読み取り、前記画像に基づく画像データを生成する読取手段をさらに有し、
前記送信手段は前記設定手段により設定された宛先情報が示す宛先に前記読取手段により生成された前記画像データを送信することを特徴とする請求項８乃至１３の何れか１項に記載の画像送信装置。
【請求項１５】
画像データを送信する画像送信装置の制御方法であって、
外部装置から宛先情報を受信する受信工程と、
前記受信工程で受信した前記宛先情報を設定する設定工程と、
前記設定工程で設定した前記宛先情報が示す宛先に画像データを送信する送信工程とを有し、
第１の外部装置から受信された第１の宛先情報が既に設定されている状態で、前記受信工程で前記第１の外部装置から第２の宛先情報を受信した場合、前記画像送信装置は前記第１の宛先情報と前記第２の宛先情報が設定されている状態になり、
前記第１の外部装置から受信された前記第１の宛先情報が既に設定されている状態で、前記受信工程で前記第２の外部装置から第３の宛先情報を受信した場合、前記画像送信装置は前記第１の宛先情報と前記第３の宛先情報の両方が設定されている状態にならないことを特徴とする画像送信装置の制御方法。
【請求項１６】
請求項１５に記載の制御方法の各工程をコンピュータに実行させるためのプログラム。
【手続補正２】
【補正対象書類名】明細書
【補正対象項目名】０００７
【補正方法】変更
【補正の内容】
【０００７】
そこで、本発明は、画像データを送信する画像送信装置であって、外部装置から宛先情報を受信する受信手段と、前記受信手段が受信した前記宛先情報を設定する設定手段と、前記設定手段が設定した前記宛先情報が示す宛先に画像データを送信する送信手段とを有し、第１の外部装置から受信された第１の宛先情報が既に設定されている状態で前記受信手段が前記第１の外部装置から第２の宛先情報を受信した場合、前記画像送信装置は前記第１の宛先情報と前記第２の宛先情報が設定されている状態になり、前記第１の外部装置から受信された前記第１の宛先情報が既に設定されている状態で前記受信手段が前記第２の外部装置から第３の宛先情報を受信した場合、前記画像送信装置は前記第１の宛先情報と前記第３の宛先情報の両方が設定されている状態にならないことを特徴とする。